【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
表示部と、
前記表示部の輝度を、ユーザの指示に基づいて、最大値、最小値、少なくとも１つの中間値を含む複数段階の中から設定する設定手段と、
前記設定手段によって設定された輝度で前記表示部に表示を行っている際に、単一の操作部材に対して特定の操作が行われると、前記設定手段によって設定された輝度に関わらず、前記最大値の輝度で前記表示部に表示を行うモードを実行するよう制御する制御手段と
を有することを特徴とする表示装置。
【請求項２】
前記単一の操作部材はボタン操作部材であり、
前記ボタン操作部材が一定時間以上押下され続けたか否かを判定する判定手段をさらに有し、
前記特定の操作は、前記ボタン操作部材が一定時間以上押下され続ける操作であることを特徴とする請求項１に記載の表示装置。
【請求項３】
前記設定手段によって設定された輝度で前記表示部に表示を行っている際に、前記判定手段によって前記ボタン操作部材が一定時間未満押下されたと判定すると、前記表示部の輝度を変更せずに、現在の表示モードを、表示される情報が異なる他の表示モードに切り替える表示モード切替手段をさらに有する請求項２に記載の表示装置。
【請求項４】
前記制御手段は、前記モードの実行中に、前記単一の操作部材に対して前記特定の操作が行われると、前記モードの実行を解除して、前記表示部の輝度を前記設定手段によって設定された輝度に戻すように制御することを特徴とする請求項１乃至３のいずれか１項に記載の表示装置。
【請求項５】
前記制御手段は、前記モードの実行中に、当該表示装置の主電源がオフされたあと、再びオンした際には、前記モードは実行せず、前記設定手段によって設定された輝度で前記表示部に表示を行うよう制御することを特徴とする請求項１乃至４のいずれか１項に記載の表示装置。
【請求項６】
前期設定手段によって設定された輝度を、不揮発性の記憶媒体に記録するよう制御する記録制御手段をさらに有することを特徴とする請求項５に記載の表示装置。
【請求項７】
撮像手段と、
前記撮像手段によって撮像された画像を前記表示部に表示するよう制御する表示制御手段とをさらに有することを特徴とする請求項１乃至６のいずれか１項に記載の表示装置。
【請求項８】
前記表示部は液晶パネルであり、
前記液晶パネルの背面より光を照射するバックライトを更に有し、
前記設定手段と前記制御手段は、前記バックライトの照射量を制御することで、前記液晶パネルの輝度を制御することを特徴とする請求項１乃至７のいずれか１項に記載の表示装置。
【請求項９】
前記制御手段は、前記モードの実行中に、前記単一の操作部材に対して前記特定の操作が行われると、前記モードの実行を解除して、前記設定手段によって設定された輝度に関わらず、前記最小値の輝度で前記表示部に表示を行うように制御することを特徴とする請求項１乃至８のいずれか１項に記載の表示装置。
【請求項１０】
前記制御手段は、前記モードの実行中に前記単一の操作部材に対して前記特定の操作が行われたことによって前記モードの実行を解除し、前記表示部の輝度を前記設定手段によって設定された輝度に戻した後に、前記単一の操作部材に対して前記特定の操作が行われると、前記設定手段によって設定された輝度に関わらず、前記最小値の輝度で前記表示部に表示を行うように制御することを特徴とする請求項４に記載の表示装置。
【請求項１１】
画像を表示部に表示する表示ステップと、
前記表示部の輝度を、ユーザの指示に基づいて、最大値、最小値、少なくとも１つの中間値を含む複数段階の中から設定する設定ステップと、
前記設定ステップによって設定された輝度で前記表示部に表示を行っている際に、単一の操作部材に対して特定の操作が行われると、前記設定ステップによって設定された輝度に関わらず、前記最大値の輝度で前記表示部に表示を行うモードを実行するよう制御する制御ステップと
を有することを特徴とする表示装置の制御方法。
【請求項１２】
コンピュータを、
画像を表示部に表示するよう制御する表示制御手段、
前記表示部の輝度を、ユーザの指示に基づいて、最大値、最小値、少なくとも１つの中間値を含む複数段階の中から設定する設定手段、
前記設定手段によって設定された輝度で前記表示部に表示を行っている際に、単一の操作部材に対して特定の操作が行われると、前記設定手段によって設定された輝度に関わらず、前記最大値の輝度で前記表示部に表示を行うモードを実行するよう制御する制御手段
として機能させるためのプログラム。
【請求項１３】
コンピュータを、
画像を表示部に表示するよう制御する表示制御手段、
前記表示部の輝度を、ユーザの指示に基づいて、最大値、最小値、少なくとも１つの中間値を含む複数段階の中から設定する設定手段、
前記設定手段によって設定された輝度で前記表示部に表示を行っている際に、単一の操作部材に対して特定の操作が行われると、前記設定手段によって設定された輝度に関わらず、前記最大値の輝度で前記表示部に表示を行うモードを実行するよう制御する制御手段
として機能させるためのプログラムを記録したコンピュータが読み取り可能な記録媒体。
【手続補正２】
【補正対象書類名】明細書
【補正対象項目名】発明の名称
【補正方法】変更
【補正の内容】
【発明の名称】表示装置、その制御方法、プログラム及び記録媒体
【手続補正３】
【補正対象書類名】明細書
【補正対象項目名】０００１
【補正方法】変更
【補正の内容】
【０００１】
本発明は、表示装置または表示装置の制御方法に関するものである。
【手続補正４】
【補正対象書類名】明細書
【補正対象項目名】０００９
【補正方法】変更
【補正の内容】
【０００９】
本発明は、上記問題点に鑑みてなされたもので、ユーザが任意に複数段階の中から設定した表示部の輝度に関わらず、簡単な操作で即座に輝度を最大とすることが可能な表示装置を提供することを目的とする。
【手続補正５】
【補正対象書類名】明細書
【補正対象項目名】００１０
【補正方法】変更
【補正の内容】
【００１０】
上記課題を解決するために、本発明の表示装置は表示部と、
前記表示部の輝度を、ユーザの指示に基づいて、最大値、最小値、少なくとも１つの中間値を含む複数段階の中から設定する設定手段と、
前記設定手段によって設定された輝度で前記表示部に表示を行っている際に、単一の操作部材に対して特定の操作が行われると、前記設定手段によって設定された輝度に関わらず、前記最大値の輝度で前記表示部に表示を行うモードを実行するよう制御する制御手段と
を有することを特徴とする。
【手続補正６】
【補正対象書類名】明細書
【補正対象項目名】００１１
【補正方法】変更
【補正の内容】
【００１１】
また、上記課題を解決するために、本発明の表示制御装置の制御方法は、画像を表示部に表示する表示ステップと、
前記表示部の輝度を、ユーザの指示に基づいて、最大値、最小値、少なくとも１つの中間値を含む複数段階の中から設定する設定ステップと、
前記設定ステップによって設定された輝度で前記表示部に表示を行っている際に、単一の操作部材に対して特定の操作が行われると、前記設定ステップによって設定された輝度に関わらず、前記最大値の輝度で前記表示部に表示を行うモードを実行するよう制御する制御ステップと
を有することを特徴とする。
【手続補正７】
【補正対象書類名】明細書
【補正対象項目名】００１２
【補正方法】変更
【補正の内容】
【００１２】
また、上記課題を解決するために、本発明のプログラムは、コンピュータを、
画像を表示部に表示するよう制御する表示制御手段、
前記表示部の輝度を、ユーザの指示に基づいて、最大値、最小値、少なくとも１つの中間値を含む複数段階の中から設定する設定手段、
前記設定手段によって設定された輝度で前記表示部に表示を行っている際に、単一の操作部材に対して特定の操作が行われると、前記設定手段によって設定された輝度に関わらず、前記最大値の輝度で前記表示部に表示を行うモードを実行するよう制御する制御手段
として機能させるためのプログラムであることを特徴とする。
【手続補正８】
【補正対象書類名】明細書
【補正対象項目名】００１３
【補正方法】変更
【補正の内容】
【００１３】
また、上記課題を解決するために、本発明の記録媒体は、コンピュータを、
画像を表示部に表示するよう制御する表示制御手段、
前記表示部の輝度を、ユーザの指示に基づいて、最大値、最小値、少なくとも１つの中間値を含む複数段階の中から設定する設定手段、
前記設定手段によって設定された輝度で前記表示部に表示を行っている際に、単一の操作部材に対して特定の操作が行われると、前記設定手段によって設定された輝度に関わらず、前記最大値の輝度で前記表示部に表示を行うモードを実行するよう制御する制御手段
として機能させるためのプログラムを記録したコンピュータが読み取り可能な記録媒体であることを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
本発明によれば、ユーザが任意に複数段階の中から設定した表示部の輝度に関わらず、簡単な操作で即座に輝度を最大とすることが可能になる。